(57)【要約】      （修正有）【課題】箱の蓋が双方向に開閉でき、且つ箱の蓋の取り外しも便利な工具箱を提供する。【解決手段】対称に工具箱の両側に箱の蓋及び箱体に接続する回転ロック装置を設け、止め板が下ほぞ部分の軸孔に設けられ、上ほぞ部分の芯軸と下ほぞ部分の回転ジグ溝と整合して取り付けられ、止め板上にある係止バーが上ほぞ部分に設けたジグと一体に嵌合し、これにより、箱の蓋が、上ほぞ部分の芯軸により、箱体の下ほぞ部分のジグ溝に係合するように回転でき、且つ、係止バーにより離れないように固定され、箱の蓋を開くときに、一側の係止バージグから止め板を偏移すると他の側の回転ロック装置が開けられる。これにより、双方向にくり返し開閉が実現され、且つ、両側の係止バーを全て偏移すると箱の蓋の全体が箱体から取り外され、非常に便利である。【選択図】図１
0003121110.tif 000002
【実用新案登録請求の範囲】
【請求項１】
箱の蓋（１）と、箱体（２）とを備えている工具箱において、さらに、箱の蓋（１）及び箱体（２）に接続し対称に工具箱の両側に設けた回転ロック装置を含むことを特徴とする工具箱。
【請求項２】
前記回転ロック装置が、箱の蓋（１）に設けた上ほぞ部分（１７）と、箱体（２）に設けた下ほぞ部分（１８）と、上ほぞ部分と下ほぞ部分に連接する止め板（３）と、を備えていることを特徴とする請求項１記載の工具箱。
【請求項３】
前記上ほぞ部分（１７）が、箱の蓋（１）に設けたジグ（１７１）と、芯軸固定枠（１７２）と、芯軸固定枠に設けた芯軸（１７３）とを備えていることを特徴とする請求項２記載の工具箱。
【請求項４】
前記止め板（３）に、前記芯軸（１７３）に対応する回転ジグ溝I（４）、及び前記芯軸（１７３）及び芯軸固定枠（１７２）に対応する嵌溝I（５）、を設け、止め板（３）の底部の両端に回転軸（３１）を設け、また止め板（３）の中部に前記ジグ（１７１）に対応する係止バー（３２）を設けていることを特徴とする請求項２記載の工具箱。
【請求項５】
前記下ほぞ部分（１８）が、前記芯軸（１７３）に対応する箱体（２）に設けた回転ジグ溝II（５１）、及び前記芯軸固定枠（１７２）及び回転ジグ溝I（４）に対応する嵌溝II（６）を含み、前記下ほぞ部分（１８）が、更に止め板（３）の両端に設けた回転軸（３１）に対応する箱体（２）に設けた軸孔（７）を含むことを特徴とする請求項２記載の工具箱
【請求項６】
止め板（３）の両端に設けた回転軸（３１）に対応する前記軸孔（７）及びその外側に前記回転軸（３１）に対応する取り付け補助凹溝（８）を設け、前期回転軸（３１）の端部が斜面（９）に形成されることを特徴とする請求項４記載の工具箱。
【考案の詳細な説明】
【技術分野】
【０００１】
本実用新案は、工具箱に関し、具体的には、箱の蓋が双方向にくり返し開閉できる工具箱に関する。
【背景技術】
【０００２】
従来の開閉式蓋付きの工具箱は、基本的に、一側に回転軸を設け、他の側に止め装置を設けるように構成され、使用の時に、箱の蓋が回転軸のまわりに回動し、且つ他の側の止め装置により開閉が行われる。しかし、それは、箱の蓋が片方のみにくり返し開けられるという欠点があり、且つすっかり工具箱を掃除する場合に、箱の蓋の取り外しも面倒な点がある。
【考案の開示】
【０００３】
本実用新案の目的は、箱の蓋が双方向に開閉でき、且つ箱の蓋の取り外しも便利な工具箱を提供する。
【０００４】
前記の目的を実現するために、本実用新案は、箱の蓋と、箱体とを備え、さらに対称に工具箱の両側に設けた箱の蓋及び箱体に接続する回転ロック装置を含む工具箱を提供する。
【０００５】
前記回転ロック装置は、箱の蓋に設けた上ほぞ部分と、箱体に設けた下ほぞ部分及び上ほぞ部分と下ほぞ部分と連接する止め板とを備えている。
【０００６】
前記止め板に、前記芯軸に対応する回転ジグ溝I、及び前記芯軸固定枠及び芯軸に対応する嵌溝I、を設け、止め板の底部の両端に回転軸を設け、また止め板の中部に前記ジグに対応する係止バーを設けている。
【０００７】
前記下ほぞ部分は、前記芯軸に対応する箱体に設けた回転ジグ溝II、及び前記芯軸固定枠及び回転ジグ溝Iに対応する嵌溝IIを含み、前記下ほぞ部分が、更に、止め板の両端に設けた回転軸に対応する箱体に設けた軸孔を有する。
【０００８】
本実用新案においては、止め板の両端に設けた回転軸に対応する前記軸孔及びその外側に前記回転軸に対応する取り付け補助凹溝が設けられ、前記回転軸の端部が斜面に形成されることが好ましい。
【０００９】
本実用新案は、前記技術を採用したことにより、対称に工具箱の両側に箱の蓋及び箱体に接続する回転ロック装置を設け、止め板が下ほぞ部分の軸孔に設けられ、上ほぞ部分の芯軸と下ほぞ部分の回転軸溝と整合して取り付けられ、止め板上にある係止バーにより、上ほぞ部分に設けたジグと一体に嵌合し、これにより、箱の蓋が、上ほぞ部分の芯軸により、箱体の下ほぞ部分のジグ溝に係合するように回転でき、且つ、係止バーにより離れないように固定され、箱の蓋を開く時に、一側の係止バーをジグから偏移すると他の側の回転ロック装置が開けられる。これにより、双方向に開閉が実現され、且つ、両側の係止バーを全て偏移すると箱の蓋の全体が箱体から取り外され、非常に便利である。
【考案の実施の形態】
【００１０】
図１から図７に示されているように、本実用新案は、箱の蓋I、箱の蓋II、及び対称に工具箱の両側に設けた箱の蓋及び箱体に接続する回転ロック装置を含む。前記回転ロック装置は、箱の蓋に設けた上ほぞ部分１７と、箱体２に設けた下ほぞ部分１８、及び上ほぞ部分１７と下ほぞ部分１８と連結する止め板３と、を備えている。上ほぞ部分１７は、箱の蓋１に設けたジグ１７１と、芯軸固定枠１７２と、芯軸固定枠１７２に設けた芯軸１７３とを備えている。止め板３に、芯軸１７３に対応する回転軸ジグ溝I４、及び芯軸固定枠１７２及び芯軸１７３に対応する嵌溝I５、を設け、止め板３の底部の両端に回転軸３１を設け、また止め板３の中部にジグ１７１に対応する係止バー３２を設けている。下ほぞ部分１８は、芯軸１７３に対応する箱体2に設けた回転ジグ溝II５１、及び芯軸固定枠１７２及び回転ジグ溝I４に対応する嵌溝II６を含み、下ほぞ部分１８は、更に止め板３の両端に設けた回転軸３１に対応する箱体２に設けた軸孔７を含む。軸孔７外側に回転軸３１に対応する取り付け補助凹溝８を設け、回転軸３１の端部が斜面9に形成されている。
【００１１】
本実用新案は、対称に工具箱の両側に箱の蓋及び箱体に接続する回転ロック装置を設け、止め板３が、下ほぞ部分１８の軸孔７に嵌装され、上ほぞ部分１７の芯軸１７３と下ほぞ部分１８の回転ジグ溝I４と整合するように取り付けられ、止め板３上にある係止バー３２が、上ほぞ部分に設けたジグ１７１と一体に嵌合し、これにより、箱の蓋が、上ほぞ部分の芯軸１７３により、箱体の下ほぞ部分のジグ溝I４に係合するように回転でき、且つ係止バー３２により離れないように固定され、箱の蓋を開く時には、一側の係止バージグから止め板を偏移させると他の側の回転ロック装置が開けられる。これにより、双方向の開閉が実現され、且つ両側の係止バーを全て偏移すると箱の蓋の全体が箱体から取り出され、非常に便利である。
【図面の簡単な説明】
【００１２】
【図１】本実用新案の構成全体の概略図
【図２】本実用新案の止め板の拡大概略図
【図３】図１に示す上ほぞ部分の拡大概略図
【図４】図１に示す下ほぞ部分の拡大概略図
【図５】図１に示すＢ（下ほぞ部分に止め板を取り付けた後）の拡大概略図
【図６】本実用新案の止め板が付けられる状態を示す概略図
【図７】図６に示すＣの拡大概略図
【図１】
0003121110.tif 000003
【図２】
0003121110.tif 000004
【図３】
0003121110.tif 000005
【図４】
0003121110.tif 000006
【図５】
0003121110.tif 000007
【図６】
0003121110.tif 000008
【図７】
0003121110.tif 000009